(57)【要約】      （修正有）【課題】吊戸の脱落防止が安定して行え、部品もコンパクト化できる吊戸装置を安価に提供する。さらに、汎用性の高い吊戸用煽り止め具を安価に提供する。【解決手段】吊戸支持用のスライドレール１１がアウタレール１２とインナレール１３とを備えている。アウタレール１２側に配置された保持具１６がこれとともに出入用開口１の上部２側に取り付けられている。被保持具５１がインナレール１３側に配置されてこれに取り付けられている。アウタレール１２側にある保持具１６の受け入れ部とインナレール１３側にある被保持具５１の掛け止め部とが互いに掛かり合って前後方向の吊戸離脱を防止している。【選択図】図１
2004332375.tif 000002
【特許請求の範囲】
【請求項１】
アウタレールとインナレールと転がり部材とリテーナとを備えたスライドレールにより吊戸が開閉自在に支持されるものであって、アウタレールが出入用開口の上部側に取り付けられていること、および、リテーナで保持された複数の転がり部材をアウタレールとの間に介在させてインナレールがアウタレール内にスライド自在に嵌め込まれていること、および、出入用開口における吊戸が吊戸上部とインナレールとにわたって連結された連結具で吊り支えられていることを前提とする吊戸装置において、吊戸の開閉機能を維持して前後方向の吊戸離脱を防止するための手段として対をなす保持具と被保持具とを備えていること、および、アウタレール側に配置される長い保持具にはレールの長さ方向に沿う長い受け入れ部が形成されていること、および、インナレール側に配置される被保持具には保持具の受け入れ部と掛かり合い自在に対応する掛け止め部が形成されていること、および、保持具がアウタレール側に配置されてアウタレールとともに出入用開口の上部側に取り付けられていること、および、被保持具がインナレール側に配置されてこれに取り付けられていること、および、アウタレール側にある保持具の受け入れ部とインナレール側にある被保持具の掛け止め部とが互いに掛かり合って前後方向の吊戸離脱を防止しているとともに吊戸開閉方向に相対移動するものであることを特徴とする吊戸装置。
【請求項２】
吊戸をインナレールに連結するための連結具がハンギングホルダとハンギングプレートとからなり、吊戸上面に取り付けられたハンギングホルダとインナレール側に取り付けられたハンギングプレートとが互いに連結されている請求項１記載の吊戸装置。
【請求項３】
煽り止め部材と弾性体と取付座とを備えていること、および、取付座が煽り止め部材を保持して取付座から煽り止め部材先端までの上下寸法を変更自在にしていること、および、弾性体が煽り止め部材に対して上下寸法を増大する方向の力を付与していることを特徴とする吊戸用煽り止め具。
【請求項４】
出入用開口の上部側に設けられたレール沿いに吊戸が開閉される吊戸装置において、吊戸の両端方向にわたる長い溝が吊戸下面に形成されていること、および、吊戸下面と対面する出入用開口の下部面に請求項３記載の煽り止め具が装着されていること、および、煽り止め具の煽り止め部材が吊戸下面の溝内に嵌り込んでいることを特徴とする吊戸装置。
【発明の詳細な説明】
【０００１】
【発明の属する技術分野】本発明は建築や家具などの分野で利用することのできる吊戸装置と吊戸用煽り止め具に関する。
【０００２】
【従来の技術】戸や扉の類をスライドレールで吊り支えて開閉するものは建物出入口や家具開口などで多くみられる。この場合のスライドレールとしては、アウタレール・インナレール・ボール・リテーナなどで構成されたものが主流をなしている。採用の理由はこのスライドレールの場合に吊戸の開閉がより円滑に行えるからできる。とはいえ、かかるスライドレールによる吊戸装置の場合も、前後方向の力が作用したときに吊戸の脱落が起こりがちという難点がある。
【０００３】上記の対策として外れ止め手段を用いるものがすでに提案されている。それは外れ止め用の突片を吊戸の上部に取り付けたり外れ止め用の溝を出入用開口の上部側に設けたりするというもの、しかも突片を溝に掛けることで吊戸の脱落を防止するというものである（たとえば特許文献１参照）。
【０００４】一方、吊戸の下部側で煽り止め手段を講じることも広く実施されている。これは出入用開口の床面上に簡単な突起型の煽り止め具を立て、その上端部を吊戸下面の長い溝（レール形状をしたもの）に嵌めこんで吊戸の煽り止めにするというものである（周知技術）。
【０００５】
【特許文献１】特開平０８−１７７２９８号公報
【０００６】
【発明が解決しようとする課題】最近の傾向として、吊戸装置なども可能なかぎり工場で組み立てることが行われている。設備が整った工場での組み立ては正確や能率の点で現場作業に優り、工期も短縮できる。多くの部品を梱包する手間や現場における開梱物の処理も緩和される。
【０００７】特許文献１の吊戸装置も、外れ止め用突片を吊戸の上部に取り付けて出荷することで、上記のメリットが得られるかのごとくである。しかし特許文献１の外れ止め用突片は吊戸の厚さを上回る長さのものであり、これを吊戸の上部に取り付けた場合は吊戸の一部のみが厚さを増してしまう。そのため出荷の際の車載時、吊戸を安定した省スペース状に積層することができない。それに取付状態の突片が危険な角度で突き出るため、人や物を傷つけたり自身が変形したりするおそれもある。加えて外れ止め用突片に対応した外れ止め用溝を出入用開口の上部側に設けたりするのも面倒である。
【０００８】これに対し、吊戸下部の溝と突起（煽り止め具）による煽り止め手段は実施が簡単である。しかし吊戸下面と床面との間隔が現場ごとに異なるため、多種類の寸法の煽り止め具を取り揃えておかねばならない。また、これらをしても対応できない場合は、現場でのつくり変えも余儀なくされる。
【０００９】
【発明の目的】本発明の目的の一つは、吊戸の脱落防止が安定して行えるとともにそのための部品もコンパクト化できる吊戸装置を安価に提供することである。本発明の目的の他の一つは、適用現場の寸法に影響されることのない汎用性の高い吊戸用煽り止め具を安価に提供することである。
【００１０】
【課題を解決するための手段】本発明の請求項１に係る吊戸装置は所期の目的を達成するために下記の課題解決手段を特徴とする。すなわち請求項１記載の発明は、アウタレールとインナレールと転がり部材とリテーナとを備えたスライドレールにより吊戸が開閉自在に支持されるものであって、アウタレールが出入用開口の上部側に取り付けられていること、および、リテーナで保持された複数の転がり部材をアウタレールとの間に介在させてインナレールがアウタレール内にスライド自在に嵌め込まれていること、および、出入用開口における吊戸が吊戸上部とインナレールとにわたって連結された連結具で吊り支えられていることを前提とする吊戸装置において、吊戸の開閉機能を維持して前後方向の吊戸離脱を防止するための手段として対をなす保持具と被保持具とを備えていること、および、アウタレール側に配置される長い保持具にはレールの長さ方向に沿う長い受け入れ部が形成されていること、および、インナレール側に配置される被保持具には保持具の受け入れ部と掛かり合い自在に対応する掛け止め部が形成されていること、および、保持具がアウタレール側に配置されてアウタレールとともに出入用開口の上部側に取り付けられていること、および、被保持具がインナレール側に配置されてこれに取り付けられていること、および、アウタレール側にある保持具の受け入れ部とインナレール側にある被保持具の掛け止め部とが互いに掛かり合って前後方向の吊戸離脱を防止しているとともに吊戸開閉方向に相対移動するものであることを特徴とする。
【００１１】本発明の請求項２に係る吊戸装置は、請求項１記載のものにおいて、吊戸をインナレールに連結するための連結具がハンギングホルダとハンギングプレートとからなり、吊戸上面に取り付けられたハンギングホルダとインナレール側に取り付けられたハンギングプレートとが互いに連結されていることを特徴とする。
【００１２】本発明の請求項３に係る吊戸用煽り止め具は所期の目的を達成するために下記の課題解決手段を特徴とする。すなわち請求項３記載の吊戸用煽り止め具は、煽り止め部材と弾性体と取付座とを備えていること、および、取付座が煽り止め部材を保持して取付座から煽り止め部材先端までの上下寸法を変更自在にしていること、および、弾性体が煽り止め部材に対して上下寸法を増大する方向の力を付与していることを特徴とする。
【００１３】本発明の請求項４に係る吊戸装置は所期の目的を達成するために下記の課題解決手段を特徴とする。すなわち請求項４記載の吊戸装置は、出入用開口の上部側に設けられたレール沿いに吊戸が開閉される吊戸装置において、吊戸の両端方向にわたる長い溝が吊戸下面に形成されていること、および、吊戸下面と対面する出入用開口の下部面に請求項３記載の煽り止め具が装着されていること、および、煽り止め具の煽り止め部材が吊戸下面の溝内に嵌り込んでいることを特徴とする。
【００１４】
【作用】本発明の請求項１〜２に係る吊戸装置は、吊戸がスライドレールを介して開閉自在に吊り支えられている。したがって吊戸についてはスライドレールに依存した自明の開閉操作が行える。しかもアウタレール側にある保持具の受け入れ部とインナレール側にある被保持具の掛け止め部とが互いに掛かり合っているから、前後方向の吊戸離脱も防止される。
【００１５】本発明の請求項３に係る吊戸用煽り止め具では、弾性体を介在して組み合わされた煽り止め部材と取付座とが伸縮性を発揮するもので、これにより上下方向の寸法を変えることができる。したがって適用場所の間隔が異なる場合でも、その寸法変更可能な範囲内で対応できる。ちなみに請求項３の吊戸用煽り止め具を利用した請求項４の吊戸装置では、吊戸下面の溝内に嵌り込んだ煽り止め部材の先端部が弾性体の力で溝内に押しつけられるから、吊戸は脱落することなく保持され、吊戸下部のガタツキも起こりがたい。
【００１６】
【発明の実施の形態】本発明に係る吊戸装置と吊戸用煽り止め具の実施形態について、添付の図面を参照して説明する。本発明における「出入用開口」の語は、人が出入りする出入口（例：建物）や物を出し入れする開口（例：家具）など、これらを総称する上位概念語である。
【００１７】図１〜図２において、出入用開口１は上部２と下部３と両側部とで囲われた四角形のものであって建物・家具・その他でみられる周知のものである。出入用開口１の各部は床・鴨居・柱などの構造材で構成されていたり枠材で構成されていたりする。
【００１８】図１〜図２に示された吊戸４も木材・金属・合成樹脂・複合材などで作製された周知のものである。吊戸４の下面にはその両側方向にわたる長い溝５が形成されている。溝５の内面には一例として合成樹脂製または金属製の溝形材が嵌め付けられ、他の一例としてライニング処理が施される。これは溝５の内面に滑り性を付与したり強度を付与したりするために行われる。
【００１９】吊戸用のスライドレール１１については一例が図１〜図３に示されている。この図示例のスライドレール１１は基本的には周知のものと変わりがなく、したがって金属製のアウタレール１２・インナレール１３・転がり部材１４・リテーナ１５などを主体にして構成される。アウタレール１２は吊戸４を開閉するに足りる長さを有する。インナレール１３は短いものが複数ある。転がり部材１４はボールまたはコロ（図示せず）からなり多数ある。多数の転がり部材１４はリテーナ１５を介して保持されている。これらについては周知のとおり、リテーナ１５で保持された多数の転がり部材１４や複数（例：二つ）のインナレール１３がアウタレール１２内に嵌め込まれて組み合わされる。この場合において、多数の転がり部材１４がアウタレール１２とインナレール１３との間に介在するため、インナレール１３はアウタレール１２の長さ方向沿いにスライド自在となる。このほか本発明においては、保持具１６がスライドレール１１に組み合わされる。保持具１６は一例が合成樹脂製かつ他の一例が金属製というもので、アウタレール１２とほぼ同等の長さを有する。保持具１６の表面にはアウタレール１２に被せるための凹部１７があり、保持具１６の表面には凹んだ受け入れ部１８がある。これらの凹部１７や受け入れ部１８はいずれも保持具１６の全長にわたるものである。
【００２０】図１〜図２を参照して、スライドレール１１（アウタレール１２）を出入用開口１の上部２に取り付けるための取付具２１は二つの部品からなる。その一つは上部２に対して直接固定される第１取付部材２２であり、他の一つは第１取付具２２に対して固定される第２取付部材２３である。この取付具２１の各部材２２・２３も金属製か合成樹脂製であり、その代表的一例は金属製である。
【００２１】図１〜図２において吊戸２をインナレール１３に連結するための連結具３１は図４〜図５にも示されている。これらの図を参照して、連結具３１はハンギングホルダ３２とハンギングプレート３６とからなる。このうちのハンギングホルダ３２は、座板部３３と座板部３３から直角に立ち上がる立板部３４とを有するもので、立板部３４には吊り掛け用の開口部３５が形成されている。これに対するハンギングプレート３６は、取付板部３７とこれの下端部において鈎形に曲がったフック部３８とを有するものである。取付板部３７には縦長の取付孔３９や開口窓４０などが形成されているほか、フック部３８にはビス孔４１が形成されている。連結具３１の各部材も取付具２１と同様の材料でできている。
【００２２】図１〜図２や図６に例示された被保持具５１は前述の保持具１６と対をなすものである。したがって被保持具５１の上部には、保持具１６の受け入れ部１８と掛かり合い自在に対応する掛け止め部５２が形成されている。被保持具５１には、また、これの立面部５３に貫通孔５４が形成されている。
【００２３】図１〜図２の吊戸装置において、吊戸４の煽り止めのために併用される煽り止め具６１は図７にも示されている。これらの図を参照して明らかなように、煽り止め具６１は煽り止め部材６２と取付座６５と弾性体６９とを備えている。煽り止め部材６２は上面壁と両側面壁とを有する細長い溝形のものである。煽り止め部材６２の先端部両側にはたとえば上面が円弧のような滑らかな形状をした滑り部６３が形成されており、煽り止め部材６２の後端部両側には軸孔６４が形成されている。取付座６５は取付孔６６を有するもので、一部を除いて平坦な形状をしている。すなわち取付座６５は、その後端部側に一対の起立した軸受片６７が設けられており、これら軸受片６７に軸孔６７が形成されている。取付座６５の両軸受片６７は煽り止め部材６２の両側内面に密接して嵌り込む間隔のものである。一方で弾性体６９は、その両端部の間にコイル巻き部を有するバネからなる。煽り止め具６１の各部材は、煽り止め部材６２と取付座６５との間に弾性体６９を介在させた組み合わせにおいてピン止めタイプの軸７０で組み止められるものである。具体的には、同一軸線上に並んだ両軸孔６４・６７や弾性体６９のコイル巻き部を軸７０が貫通して各部材を組み止める。かくて組み立てられた煽り止め具６１においては、取付座６５に保持された煽り止め部材６２に対して弾性体６９が上下寸法を増大する方向の力を付与している。
【００２４】図１〜図２の実施形態に係る吊戸装置は一例としてつぎのように組み立てられる。
【００２５】図１〜図２における出入用開口１の上部２には、幅方向に隣り合う間隔を介在して取付具２１の一部品（複数）が取り付けられる。具体的には図２のごとく複数の第１取付部材２２がビス９１で出入用開口１の上部２に取り付けられる。各取付具２１のそれぞれの第２取付部材２３については、第１取付部材２２との分離状態においてスライドレール１１のアウタレール１２と合体されるものである。このときに保持具１６もこれらと合体される。それは図２のように、保持具１６を被されたアウタレール１２に複数の第２取付部材２３があてがわれたり、アウタレール１２と保持具１６と第２取付部材２３とを貫通するネジ９２がアウタレール１２側から差し込まれたり、ネジ孔のある締付座板９３が第２取付部材２３の内面にあてがわれたりした後、締付座板９３に対するネジ９２の締め付けでこれらが強固に合体されるというものである。しかるのち、各第２取付部材２３がこれらと対応する各第１取付部材２２上に被され、それぞれの第１取付部材２２・第２取付部材２３が止めネジ９２で固定される。かくてスライドレール１１のアウタレール１２が出入用開口１の上部２に装備される。この出入用開口上部２でのアウタレール１２は水平状態のほか、自重で吊戸２の閉じ動作を行わせる場合に傾斜状態で取り付けられたりする。
【００２６】これに対してスライドレール１１にある複数のインナレール１３は、それぞれの連結具３１の各ハンギングプレート３６と合体される。このときに被保持具５１もこれらと合体される。具体的には図２のごとく、掛け止め部５２を上にした被保持具５１をインナレール１３とハンギングプレート３６との間に介在した状態でこれらが重ね合わされる。このときインナレール１３の内面側から外面側に向けて突出しているネジ軸９４が被保持具５１の貫通孔５４やハンギングプレート３６の取付孔３９を貫通するから、これにナット９５を締め付けることでインナレール１３・ハンギングプレート３６・被保持具５１が強固に合体される。ハンギングプレート３６や被保持具５１を具備した複数のインナレール１３は、リテーナ１５で保持された多数の転がり部材１４を介在してアウタレール１２内に嵌め込まれ、そのアウタレール１２をガイドにしてスライドするものである。このレール嵌め合いのとき、被保持具５１の掛け止め部５が図２のごとく保持具１６の受け入れ部１８に掛けられる。
【００２７】他方でそれぞれの連結具３１の各ハンギングホルダ３２たとえば二つのハンギングホルダ３２が吊戸２の上面に取り付けられる。具体的には図１のごとくビス９６を介してハンギングホルダ３２が吊戸上面に取り付けられる。これで複数のハンギングホルダ３２を具備した吊戸２は、各ハンギングホルダ３２の開口部３５を各ハンギングプレート３６のフック部３８に掛けることで所定の吊り支え状態になる。すなわち連結具３１の各ハンギングホルダ３２とハンギングプレート３６とが掛け合い連結されたことで吊戸２もインナレール１３に連結されたことになる。したがって吊戸２は、相対的にスライド自在なアウタレール１２とインナレール１３とを有するスライドレール１１を介して所定の方向に開閉移動するように支持される。この連結のあと、ハンギングプレート３６のフック部３８にあるビス孔４１には、ネジ軸からなる跳ね上がり防止部材９７がねじ込まれる。この防止部材９７は吊戸２が不正な上下動するとき、スライドレール１１の一部に当たって吊戸２の跳ね上がり防止するというものである。
【００２８】吊戸２の煽り止め具６１については図１〜図２を参照して以下のとおりである。煽り止め具６１は吊り支え状態にある吊戸２の下面に対応して出入用開口下部２の面（床面など）に取り付けられる。具体的な取付位置についていうと、閉じ状態にした吊戸２の後端下面と対応する床面部などに煽り止め具６１が取り付けられる。一例としては図１のように、取付座６５をビス９８で固定することにより煽り止め具６１が所定位置に取り付けられる。こうして装備された煽り止め具６１の場合、弾性体６９の力を受けて立ち上がり傾向にある煽り止め部材６２が吊戸２の下面にある溝５内に嵌り込み、煽り止め部材６２の滑り部６３を溝５の上面に接触させる。
【００２９】図示の実施形態として例示した吊戸装置は、スライドレール１１が装備された出入用開口１の上部２において、アウタレール１２側にある保持具１６の受け入れ部１８とインナレール１３側にある被保持具５１の掛け止め部５２とが互いに掛かり合っているから、前後方向の吊戸離脱が起こりがたい。これに加え出入用開口１の下部３でも、煽り止め具６１の煽り止め部材６２が吊戸下面の溝５内に嵌り込んで、吊戸２が前後に煽られるのを阻止している。したがって出入用開口１に装備された吊戸２には上記に起因したトラブルの発生がほとんどない。
【００３０】本発明に係る吊戸装置や吊戸用煽り止め具については、つぎのような実施形態もある。たとえば連結具３１の場合、ハンギングプレート３６の下端部を延長して水平な取付座を形成し、該取付座を吊戸２の上面に固定すればハンギングホルダ３２が省略できる。これはが単一部品からなる連結具３１の例である。保持具１６と被保持具５１の関係も、保持具１６の受け入れ部１８がフック形で被保持具５１の掛け止め部５２が凹形であっても構わない。このほか受け入れ部１８や掛け止め部５２については、互いに掛け合うことのできる各種の形状を採用することができる。煽り止め具６１の場合はシリンダ構造のものも採用することができる。これはシリンダ内にピストンと圧縮バネとが内蔵されており、シリンダ端面より突出したピストンロッドがピストンと一体化されたものである。この場合はシリンダ側に取付座６５が設けられ、ピストンロッドの先端に滑り部６３が形成される。煽り止め具６１については、また、出入用開口１の下部面（例：床面など）に溝５が形成される場合に、これが吊戸２の下面に取り付けられる。
【００３１】
【発明の効果】本発明に係る吊戸装置は保持具と被保持具に依存して吊戸の脱落防止が安定して行えるものである。これらの部品はスライドレールに対してコンパクトに組み合わせることができるから構造上の嵩張りがなく、工場サイドで事前に部品を組み付けた場合でも出荷などに影響を与えるような突出状態をきたさない。
【００３２】本発明に係る吊戸装置は、吊戸の下部においていこれの煽りを防止するだけでなく、吊戸下の隙間の大きさにも対応できるものであるから汎用性が高く、部品数が少ない点で低コストも実現できる。
【００３３】本発明に係る吊戸装置は、煽り止め具の煽り止め部材が吊戸下面の溝内に嵌り込んだ構造のものであるから、安価な設備で所定の煽り止め効果を得ることができ、しかも煽り止め具が吊戸の上下動に追随するので煽り止め機能の安定性も確保できる。
【図面の簡単な説明】
【図１】本発明吊戸装置の一実施形態を略示した正面図である。
【図２】本発明吊戸装置の一実施形態を略示した断面図である。
【図３】本発明吊戸装置におけるスライドレールの端面図である。
【図４】本発明吊戸装置における連結具についてその一部品を示した平面図と正面図である。
【図５】本発明吊戸装置における連結具について他の一部品を示した平面図と正面図である。
【図６】本発明吊戸装置における被保持具を示した切り欠き正面図と切り欠き側面図である。
【図７】本発明煽り止め具の一実施形態を示した平面図と断面図である。
【符号の説明】
１    出入用開口
２    出入用開口の上部
３    出入用開口の下部
４    吊戸
５    吊戸下面の溝
１１    スライドレール
１２    アウタレール
１３    インナレール
１４    転がり部材
１５    リテーナ
１６    保持具
１８    受け入れ部
２１    取付具
２２    第１取付部材
２３    第２取付部材
３１    連結具
３２    ハンギングホルダ
３６    ハンギングプレート
５１    被保持具
５２    掛け止め部
６１    煽り止め具
６２    煽り止め部材
６５    取付座
６９    弾性体
７０    軸
【図１】
2004332375.tif 000003
【図２】
2004332375.tif 000004
【図３】
2004332375.tif 000005
【図４】
2004332375.tif 000006
【図５】
2004332375.tif 000007
【図６】
2004332375.tif 000008
【図７】
2004332375.tif 000009